(57)【特許請求の範囲】
【請求項１】
座部（３）、背もたれ（４）、及び車両座席（１）の前記座部（３）に配置されるチャイルドシート（３０）を固定するための保持要素（２０、２０ｂ、２７）を有する車両座席であって、
前記チャイルドシート（３０）は、その下方領域において少なくとも１つの連結器（３２）によって少なくとも１つの第１の保持要素（２７）に接続され、且つその上方領域において少なくとも１つの保持ベルト（３６）によって少なくとも１つの第２の保持要素（２０、２０ｂ）に接続されることが可能であり、
前記背もたれ（４）は、背もたれフレーム（６）及び前記背もたれフレームによって支えられるクッション（８）を有し、
前記第２の保持要素（２０、２０ｂ）は、前記クッション（８）を同時に支持し、
前記第２の保持要素（２０、２０ｂ）として、第１のワイヤ（２０）が設けられ、前記第１のワイヤ（２０）は、前記背もたれフレーム（６）の下方肢部（６ａ）に固定されて、台形の形状を形成し、
前記保持ベルト（３６）は、車両座席（１）の背もたれ（４）の上方端部上で引っ張られて下方に案内され、前記第１のワイヤ（２０）に固定されることを特徴とする車両座席。
【請求項２】
前記第１のワイヤ（２０）は、前記背もたれフレーム（６）の前記肢部（６ａ）に固定するための２つの傾斜部（２０ａ）、及びその間で保持ベルト（３６）に接続するための水平部（２０ｂ）を備えることを特徴とする、請求項１に記載の車両座席。
【請求項３】
前記第２の保持要素（２０）の水平部（２０ｂ）が、前記背もたれフレーム（６）の略中央に配置されることを特徴とする、請求項１又は２に記載の車両座席。
【請求項４】
前記第２の保持要素（２０）の部分（２０ａ、２０ｂ）は、前記背もたれフレーム（６）によって囲まれる取り付け空間の中に配置されることを特徴とする、請求項３に記載の車両座席。
【請求項５】
前記水平部（２０ｂ）は、前記背もたれ（４）の後方を向く側からアクセス可能であることを特徴とする、請求項２乃至４の何れか1項に記載の車両座席。
【請求項６】
第２のワイヤ（２２）が、前記背もたれフレーム（６）の上方肢部（６ｂ）に固定されて台形の形状を形成し、
前記第２のワイヤ（２２）も、前記クッション（８）を支持する機能を果たすことを特徴とする、請求項１乃至４の何れか１項に記載の車両座席。
【請求項７】
前記第１のワイヤ（２０）及び前記第２のワイヤ（２２）は、互いに交差して、交差点において互いに接続されることを特徴とする、請求項６項に記載の車両座席。
【請求項８】
前記クッション（８）を支持するために、横方向ワイヤ（２４）が、前記背もたれフレーム（６）の少なくとも２つの肢部の間に引き伸ばされることを特徴とする、請求項１乃至７の何れか１項に記載の車両座席。
【請求項９】
設けられる前記ワイヤ（２０、２２、２４）は、均一の直径を有することを特徴とする、請求項１乃至８の何れか１項に記載の車両座席。
【請求項１０】
前記保持ベルト（３６）は、前記チャイルドシート（３０）に固定され、前記背もたれ（４）上で引っ張られ、且つ前記第２の保持要素（２０、２０ｂ）に固定されることを特徴とする、請求項１乃至９の何れか１項に記載の車両座席。
【発明の詳細な説明】
【技術分野】
【０００１】
本発明は、請求項１のプリアンブルに記載の特徴を有する車両座席、特には、自動車座席に関する。
【背景技術】
【０００２】
車両座席にチャイルドシートを固定するために、チャイルドシートの下方領域が連結器によって座席構造の保持要素に開放可能に接続されることが可能な、所謂、「Ｉｓｏｆｉｘ」システムが知られている。この場合、保持要素は、ブラケットとして構成される場合が多く、連結器は、チャイルドシートに固定されて、フック又は固定部として構成されるが、その逆の配置も考えられる。「つなぎ帯（ｔｏｐ  ｔｅｔｈｅｒ）」の固定点によって、保持ベルトがチャイルドシートの上方領域に固定されることによって、チャイルドシートの上方領域は車両座席に更に固定され得、この保持ベルトは、車両座席の背もたれ上で引っ張られて、その背面で第２の保持要素に固定される。この種類の車両座席は、ＤＥ  ２０  ２００７  ０１８  ７８５Ｕ１に開示されており、保持要素は、一部品に構成され且つ互いに直接接続される一般の保持装置の一部である。
【発明の概要】
【０００３】
本発明の目的は、導入部で言及された種類の代替の車両座席を提供することである。この目的は、本発明に従えば、請求項１に記載の特徴を有する車両座席によって達成される。有利な実施形態によって、従属項の主題が形成される。
【０００４】
第２の保持要素は、一方では、車両座席、この場合は、背もたれへの保持ベルトの接続、他方では、背もたれの構造上のクッションの支持という２つの機能を果たす。双方の機能に関して、例えば、先述のＤＥ  ２０  ２００７  ０１８  ７８５  Ｕ１には保持ベルトへの接続に関して、及びＥＰ  ０  ６２５  ４４５  Ｂ１又はＤＥ  １０  １００６  ０５８  ２３２  Ａ１にはクッションの支持に関して、ワイヤを用いる別の解決策が開示されている。二重機能を有する本発明による解決策は、構成部品の数及び（材料及び締め具の）費用を減らすだけでなく、第２の保持要素の位置が座部の横材の近傍におけるほど低くなく、例えば、背もたれの中間において容易に到達され得るという利点も有する。第２の保持要素が長いワイヤとは別に作られるとすれば、それは移動方向及びその反対方向において非常に不安定になるであろう。第２の保持要素は、クッションを支持するために必要とされる構成部品に統合されることにより安定する。保持ベルトのみを介した力の流れは第２の保持要素のみを引張応力にさらすので、ワイヤとして費用対効果の良い構成が可能である。即ち、第２の保持要素は、曲げ応力を全く吸収せず、高度の強さをもたらす。
【０００５】
本発明による車両座席は、理論的には、自動車又は異なる車両の全ての座席列に使用されてもよいが、実際には、後部座席列にのみ提供されている。車両座席が複数の座席を有する座席システムである場合、複数の座席が本発明により構成されても良い。「連結器」及び「保持ベルト」という用語は、広い意味で理解されることが意図されており、従って、同様に作用する手段が代替として使用されてもよい。
【０００６】
本発明は、以下に、図面に示される例示的な実施形態を参照してより詳細に説明される。
【図面の簡単な説明】
【０００７】
【図１】クッション及びカバー無しで背もたれの斜視図を示す。
【図２】チャイルドシートが所定の位置において固定された車両座席の概略的な部分側部断面図を示す。
【発明を実施するための形態】
【０００８】
車両座席１は、本例示の実施形態において、自動車の後部座席列に設けられる。自動車の中の車両座席１の配置及びその通常の移動方向は、以後用いられる方向情報を定義する。車両座席１は、座部３及び少なくとも１つの背もたれ４を備える。
【０００９】
背もたれ４は、支持構造として背もたれフレーム６を備え、この背もたれフレームは、前方を向く方向において、背もたれフレーム６に固定されるカバーによって覆われるクッション８を支承する。後方を向く側において、背もたれフレーム６は、カバーパネルを支承する。カバーパネルの代替として、織物の覆い又は別のカバーが設けられてもよい。
【００１０】
背もたれフレーム６は、実質的に平面的な取り付け空間を取り囲む。複数のワイヤがこの取り付け空間の中に配置され、このワイヤは、端部が背もたれフレーム６に固定される。ワイヤは、クッション８を支持する役割を果たす。特に、均一の直径の第１のワイヤ２０は、一端が２つの下方角部の一方の近傍において背もたれフレーム６の下方肢部６ａに固定され、背もたれフレーム６のほぼ中央まで傾斜部２０ａに伸張し、ここで（この場合、同時に第１のワイヤ２０の中央において）下方肢部６ａに平行な水平部２０ｂに伸張し、そして、更なる傾斜部２０ａはそれが他の下方角部の近傍に固定される下方肢部６ａに平行に伸張する。全体として、台形の形状が生じる。好ましくは、２つの傾斜部２０ａは、同じ長さで、下方肢部６ａに対して同じ角度で伸張する。
【００１１】
特に、均一の直径の第２のワイヤ２２は、第１のワイヤ２０に対応する方法で、背もたれフレーム６の上方肢部６ｂに固定されて、中央を向く。第２のワイヤ２２の上方肢部６ｂに（及び下方肢部６ａに）平行な部分は、第１のワイヤ２０の水平部２０ｂの下方に配置されて、その結果、２つのワイヤ２０及び２２は傾斜部で互いに交差して、好ましくは交差点において互いに接続され、その結果、２本の接続されたワイヤ２０及び２２は、背もたれフレーム６において互いにきつく引っ張られる。次に、クッション８は、ワイヤ２０及び２２上にその中央で支持される。支持を改善するために、特に、均一の直径の横方向ワイヤ２４が設けられてもよく、それは、例えば、背もたれフレーム６の２つの横肢部の間で引き伸ばされて、２つのワイヤ２０及び２２に更に接続されても良い。
【００１２】
車両座席１の支持構造において、好ましくは、座部３の支持構造において、例えば、その横材において、２つの第１の保持要素２７が、チャイルドシート３０を車両座席１に配置して、そこに固定するために設けられる。この保持要素は、ブラケットの形状に構成されて、所謂、「Ｉｓｏｆｉｘブラケット」として知られている。このために、それ自体が周知のチャイルドシート３０は、チャイルドシートの下方領域において後方に突出する２つの連結器３２を備える。連結器３２は、第１の保持要素２７と、例えば、その中のフックと協働してもよい。第１のワイヤ２０は、より正確には、その水平部２０ｂは、チャイルドシート３０の保持ベルト３６と協働する、「つなぎ帯」として知られる第２の保持要素を画定する。このために、第１のワイヤ２０の水平部２０ｂは、好ましくは、背もたれフレーム６の後方を向く側におけるカバーパネルの凹所を介して案内され、その結果、それは外側からアクセス可能である。この保持ベルト３６は、チャイルドシート３０の上方領域に固定され、上方に案内され、車両座席１の背もたれ４の上方端部上で引っ張られて下方に案内される。次に、それは、第１のワイヤ２０の水平部２０ｂに固定され、例えば、フックで引き寄せられる。
【００１３】
背もたれの長手方向は、下方肢部６ａとそれに平行な上方肢部６ｂとの間に伸張する。例示の実施形態において、水平部２０ｂは、背もたれ４のほぼ中央に配置される。背もたれの長手方向において、背もたれの長手方向における背もたれ４の寸法の５０％± ２０％、特に、５０％± １０％の領域がそれによって理解されることが意図される。この配置は、低い配置に対してアクセス可能性が改善されるという利点があり、高い配置に対して小包棚又は積荷カバーからの障害がないという利点を有する。傾斜部２０ａは、背もたれの長手方向に対して斜めに、且つ下方肢部６ａに対して斜めに伸張する。下方肢部６ａに対して４５°± ２５° 、特に、４５°± １５° の角度がそれによって理解されることが意図される。斜めの経路は、下方肢部への力の案内を最適化する。
【符号の説明】
【００１４】
１  車両座席
３  座部
４  背もたれ
６  背もたれフレーム
６ａ  下方肢部
６ｂ  上方肢部
８  クッション
２０  第１のワイヤ
２０ａ  傾斜部
２０ｂ  水平部
２２  第２のワイヤ
２４  横方向ワイヤ
２７  （第１の）保持要素
３０  チャイルドシート
３２  連結器
３６  保持ベルト
【図１】
0005499182.tif 000002
【図２】
0005499182.tif 000003